(57)【要約】【課題】本発明は、印刷後、記録媒体に密着したインクフィルムを確実に冷時剥離することができる熱転写方式ラインプリンタを提供すること。【解決手段】記録媒体７と、この記録媒体７にインクフィルム１５のインクを熱転写して印刷可能なサーマルヘッド５と、このサーマルヘッド５が圧接可能なプラテンローラ３とを備え、前記サーマルヘッド５とプラテンローラ３とからなる印刷部よりインクフィルム１５の矢印Ｃの巻取り方向における下流側に、印刷後の記録媒体７に密着したインクフィルム１５を剥離するための剥離部材である剥離ローラ４ａと、この剥離ローラ４ａがインクフィルム１５及び記録媒体１７を介して当接可能な当接部材６とを配設した。【選択図】　　　　図１
2004050598.tif 000002
【特許請求の範囲】
【請求項１】
記録媒体と、この記録媒体にインクフィルムのインクを熱転写して印刷可能なサーマルヘッドと、このサーマルヘッドが圧接可能なプラテンローラとを備え、
前記サーマルヘッドと前記プラテンローラとからなる印刷部より前記インクフィルムの巻取り方向における下流側に、印刷後の前記記録媒体に密着した前記インクフィルムを剥離するための剥離部材と、この剥離部材が前記インクフィルム及び前記記録媒体を介して当接可能な当接部材とを配設したことを特徴とする熱転写方式ラインプリンタ。
【請求項２】
前記剥離部材は、回転自在の剥離ローラからなることを特徴とする請求項１記載の熱転写方式ラインプリンタ。
【請求項３】
前記当接部材は、前記プラテンローラの外周部に張架したベルトからなり、このベルトに前記剥離部材を前記当接可能としたことを特徴とする請求項１、または２記載の熱転写方式ラインプリンタ。
【請求項４】
前記サーマルヘッドは、前記インクフィルム及び前記記録媒体を介して前記プラテンローラ外周部の前記ベルトに圧接可能としたこを特徴とする請求項３記載の熱転写方式ラインプリンタ。
【発明の詳細な説明】
【０００１】
【発明の属する技術分野】
本発明は、印刷情報に基づいてサーマルヘッドの複数の発熱素子を選択的に発熱させることにより、インクフィルムのインクを記録用紙に熱転写して印刷を行うのに好適な熱転写方式ラインプリンタに関する。
【０００２】
【従来の技術】
従来提案されている熱転写方式ラインプリンタを図５に基づいて説明すると、従来の熱転写方式ラインプリンタ５１は、本体ケース５２の底板５３の図示右側には、用紙案内板５３ａが傾斜状に切り起こし形成されている。
そして、記録用紙５４が給紙ローラ（図示せず）によって給紙されて、用紙案内板５３ａ上を矢印Ａ方向に搬送可能になっている。
また、矢印Ａの搬送方向における用紙案内板５３ａより下流側には回転自在のプラテンローラ５５が配設されている。
また、本体ケース５２の側板５２ａの図示右側には、回動支点５６が形成され、この回動して５６を支点としてヘッドレバー５７が回動自在に配設されている。
【０００３】
また、ヘッドレバー５７の図示左端部側には、ヘッド取付台５８が取り付けられ、このヘッド取付台５８の図示左側には、印刷後記録用紙５４に密着した後述するインクフィルム６３を剥離するための剥離板５８ａが取り付けられている。
また、ヘッド取付台５８の下面には、ラインサーマルヘッドからなるサーマルヘッド５９が取り付けられている。
即ち、サーマルヘッド５９は、矢印Ａの記録用紙５４搬送方向における剥離板５８ａより上流側に配設されている。
前記サーマルヘッド５９は、プラテンローラ５５と対向する側の印刷面に、複数の発熱素子（図示せず）が整列形成されている。
そして、サーマルヘッド５９は、回動支点５６を支点としてヘッドレバー５７を上下に回動させることにより、ヘッドアップ・ダウンしてプラテンローラ５５に接離可能になっている。
【０００４】
また、プラテンローラ５５の図示左側近傍には、回転駆動可能な搬送ローラ６０と、この搬送ローラ６０の回転に追従して回転可能な搬送ローラ６０に圧接する圧接ローラ６１とが配設されている。
この圧接ローラ６１は、ローラ支持ケース６２内に収納したコイルバネ（図示せず）に弾性付勢されて搬送ローラ６０に圧接している。
また、ヘッドアップ状態におけるプラテンローラ５５とサーマルヘッド５９との間には、インクフィルム６３が引き回しされている。このインクフィルム６３は、カセット６４に収納されて、両端部が巻取りコア６５と供給コア６６とに巻回されている。そして、カセット６４は、本体ケース５２内部に形成したカセット装着部（図示せず）に装着可能になっている。
【０００５】
また、カセット装着部には、巻取りコア６５が係合可能な巻取りボビン６７と、供給コア６６が係合可能な供給ボビン６８とが、本体ケース５２の一方の側板５２ａから片持ち梁状に立設されている。
また、記録用紙５４の矢印Ａの搬送方向における巻取りコア６５より下流側には、印刷後の記録用紙５４を排紙可能な排紙ローラ６９が配設され、この排紙ローラ６９の図示右側には、排紙ローラ６９側に搬送されてくる記録用紙５４をガイドする用紙ガイド７０が配設されている。
また、ヘッド取付台５８の剥離板５８ａから巻取りコア６５までのインクフィルム６３巻取り径路には、回転自在のピンチローラ７１がローラ支持ケース６２の上方に配設されている。
【０００６】
このような従来の熱転写方式ラインプリンタ５１の印刷動作を説明すると、巻取りコア６５供給コア６６を、巻取りボビン６７供給ボビン６８に係合させて、カセット６４を装着した後、サーマルヘッド５９をヘッドアップさせた状態において、サ−マルヘッド５９とプラテンローラ５５との間に記録用紙５４を給紙する。そして、記録用紙５４の先端部を搬送ローラ６０と圧接ローラ６１とに狭持して下流側に搬送して、先端部を検出センサ（図示せず）が検出すると、搬送ローラ６０の回転を停止させて、記録用紙５４の最初の印刷行の頭出しを行う。
【０００７】
次に、サーマルヘッド５９をヘッドダウンさせ、印刷情報に基づいてサーマルヘッド５９の発熱素子を選択的に発熱させると共に、搬送ローラ６０を反時計回り方向に回転させて、記録用紙５４を牽引して矢印Ａ方向に搬送することにより、記録用紙５４に所望の色の画像が印刷される。
また、印刷後の記録用紙５４は、用紙ガイド７０にガイドされて、排紙ローラ６９まで搬送され、排紙ローラ６９の反時計回り方向の回転で外部に排紙される。
【０００８】
また、カラー印刷を行う場合は、カラー用のインクフィルム６３を収納したカセット６４に交換し、第１の印刷動作で最初の印刷行の頭出しを行う。
その後、搬送ローラ６０を反時計回り方向に回転させて記録用紙５４を矢印Ａ方向に搬送すると、インクフィルム６３の、最初の色である例えばイエローのインクが転写されて、記録用紙５４にイエローの色の画像が印刷される。
【０００９】
次に、第２の印刷動作で、イエローの色の画像が印刷された記録用紙５４を矢印Ａの搬送方向と反対方向に戻し、再度記録用紙５４の最初の印刷行の頭出しを行って、イエローの色の画像の上からマゼンタの色のインクを重ね印刷する。
その後、第３の印刷動作でマゼンタの色の画像の上からシアンの色のインクを、第２の印刷動作と同じ動作で重ね印刷することにより、記録用紙５４に所望のカラー画像を印刷することができる。
【００１０】
このような従来の熱転写方式ラインプリンタ５１は、サーマルヘッド５９から剥離板５８ａまでが、印刷時にサーマルヘッド５９で溶融させて記録用紙５４に熱転写したインクが、溶融状態から凝固状態に変化した状態で記録用紙５４からインクフィルム６３を剥離（冷時剥離）するような寸法に設定されている。
そのために、印刷後のインクフィルム６３は、記録用紙５４に熱転写されたインクが確実に凝固した状態で、剥離板５８ａの位置で冷時剥離されて巻き取りコア６５に巻き取られる。
このことによって、記録用紙５４に高品位な画像を印刷することができる。
【００１１】
【発明が解決しようとする課題】
しかし、前述したような従来の熱転写方式ラインプリンタ５１は、印刷後、剥離板５８ａまで搬送される記録用紙５４とインクフィルム６３との下方側を支持するものがなかった。
そのために、印刷中の熱転写ラインプリンタに外部から振動等が伝わったりすると、印刷後プラテンローラ５５から下流側に搬送される記録用紙５４とインクフィルム６３とに振動が伝わって、インクが凝固する前の溶融または半溶融状態で、インクフィルム６３と記録用紙５４とが剥離（熱時剥離）するおそれがあった。
このような、インクフィルム６３が熱時剥離されると、記録用紙５４へのインクの転写が不完全となり、印刷した文字等の画像品位が低下するおそれがあった。
【００１２】
また、外部からの振動等の影響を受けないようにするために、印刷後密着状態のインクフィルム６３と記録用紙５４とに当接する剥離板５８ａの高さ位置を現物合わせで調整していたので、組立作業性が悪くなっていた。
本発明は、前述したような問題点に鑑みてなされたもので、印刷後、記録媒体に密着したインクフィルムを確実に冷時剥離することができる熱転写方式ラインプリンタを提供することを目的とする。
【００１３】
【課題を解決するための手段】
前記課題を解決するための第１の解決手段として本発明の熱転写方式ラインプリンタは、記録媒体と、この記録媒体にインクフィルムのインクを熱転写して印刷可能なサーマルヘッドと、このサーマルヘッドが圧接可能なプラテンローラとを備え、
前記サーマルヘッドと前記プラテンローラとからなる印刷部より前記インクフィルムの巻取り方向における下流側に、印刷後の前記記録媒体に密着した前記インクフィルムを剥離するための剥離部材と、この剥離部材が前記インクフィルム及び前記記録媒体を介して当接可能な当接部材とを配設したことを特徴とする。
【００１４】
また、前記課題を解決するための第２の解決手段として、前記剥離部材は、回転自在の剥離ローラからなることを特徴とする。
【００１５】
また、前記課題を解決するための第３の解決手段として、前記当接部材は、前記プラテンローラの外周部に張架したベルトからなり、このベルトに前記剥離部材を前記当接可能としたことを特徴とする。
【００１６】
また、前記課題を解決するための第４の解決手段として、前記サーマルヘッドは、前記インクフィルム及び前記記録媒体を介して前記プラテンローラ外周部の前記ベルトに圧接可能としたこを特徴とする。
【００１７】
【発明の実施の形態】
以下に、本発明の熱転写方式ラインプリンタの実施の形態について、図面に基づいて説明する。図１は本発明の第１の実施の形態に係わる要部断面図であり、図２は図１の斜視図であり、図３は本発明の第２の実施の形態に係わる要部断面図であり、図４は図３の斜視図である。
【００１８】
まず、本発明の熱転写方式ラインプリンタ１の第１の実施の形態は、図１に示すように、箱形の本体ケース２が配設されている。この本体ケース２は、互いに対向して一方の側板２ａと他方の側板（図示せず）とが形成されている。
そして、側板２ａの略中央部下方には、プラテンローラ３が両持ち支持されて回転自在に軸支されている。このプラテンローラ３は、金属からなる心棒の周囲に、ゴム等からなる弾性部材（図示せず）が被覆されて円柱状に形成されている。
【００１９】
また、一対の側板２ａ間のプラテンローラ３の上方には、平板状のヘッド取付台４が配設されている。このヘッド取付台４は、回動自在のヘッドレバー（図示せず）に取り付けられて、ヘッドレバーを上下に回動させることにより、プラテンローラ３に対して上下動可能になっている。
また、ヘッド取付台４の下面には、ラインヘッドからなるサーマルヘッド５が接着剤等により接着されて配設されている。
このサーマルヘッド５は、プラテンローラ３と対向する面に複数の発熱素子（図示せず）がライン状に整列形成されている。
本発明の熱転写方式ラインプリンタは、プラテンローラ３とサーマルヘッド５とで印刷部が構成されている。
【００２０】
この印刷部は、ヘッドレバー（図示せず）を回動させてヘッド取付台４を上下動させることにより、サーマルヘッド５がプラテンローラ３に接離して、ヘッドアップ／ダウン可能になっている。
また、ヘッド取付台４の図示左側でサーマルヘッド５より左側には、剥離部材である剥離ローラ４ａが回転自在に軸支されている。また、ヘッド取付台４の図示右側には、ガイドローラ４ｂが回転自在に軸支されている。
前記剥離ローラ４ａと対抗する下方側で、プラテンローラ３の図示左側近傍には、サーマルヘッド５がヘッドアップ／ダウンすることにより剥離ローラ４ａが当接可能な板状の当接部材６が配設されている。
【００２１】
また、ヘッドアップ状態のサーマルヘッド５とプラテンローラ３との間には、給紙ローラ（図示せず）によって矢印Ｂの搬送方向に搬送可能な、例えば所定の幅寸法のロール紙等からなる記録媒体７が、給紙ローラ（図示せず）によって矢印Ｂの搬送方向に搬送可能になっている。
また、矢印Ｂの搬送方向に搬送される記録媒体７をプラテンローラ３側に案内するための、上面が平坦状に形成された第１用紙案内台８が配設されている。
また、矢印Ｂの搬送方向におけるプラテンローラ３より下流側（図示左側）には、上面が平坦状に形成された第２用紙案内台９が配設されており、この第２用紙案内台９の上面を記録媒体７が搬送可能になっている。前記第２用紙搬送台９上面の右端部側に、当接部材６が直接取り付けられている。
あるいは、当接部材６は、第２用紙搬送台９にバネ等の弾性部材（図示せず）を介して取り付けたものでも良い。
【００２２】
また、サーマルヘッド５の図示左斜め上方には、棒状の巻取りボビン１０が一方の側板２ａから垂直方向に立設して配設されている。この巻き取りボビン１０は、一端部側が一方の側板２ａに回転駆動可能に支持され、他端部側が自由端状になっている。
また、巻取りボビン１０の一端部側である根元部分には円盤状の台座部１０ａが一体形成され、この台座部１０ａが後述するインクフィル１５の巻乱れを防止するようになっている。
また、巻取りボビン１０の外周側には、巻取りボビン１０を包み込むように、断面形状が略Ｕ字の第１カバー体１１が、互いに対向する側板２ａ間に橋渡しされて形成されている。
前記第１カバー体１１の底部には、後述するインクフィルム１５を引き込むためのフィルム引き込み口１１ａが開放されて形成されている。
【００２３】
また、サーマルヘッド５の図示右側斜め上方ａには、棒状の供給ボビン１２が一方の側板２ａから垂直方向に立設して取り付けられている。この供給ボビンン１２は、一端部側が一方の側板２ａに回転自在に支持され、他端部側が自由端状になっている。
また、供給ボビン１２の一端部側である根元部分には円盤状の台座部１２ａが一体形成されて、パンケーキ状に巻回した後述するインクフィル１５の巻崩れを防止するようになっている。
前記供給ボビン１２の外側には、供給ボビン１２を包み込むように、第１カバー体１１と略同形状の第２カバー体１３が、互いに対向する側板２ａ間に橋渡しされて形成されている。
また、第２カバー体１３の底部には、後述するインクフィルム１５を送出可能なフィルム送出口１３ａが開放されて形成されている。
【００２４】
前記巻取りボビン１０には、軸方向にスライド可能な巻取りコア１４が係合可能になっており、この巻取りコア１４には、一方の面である図示下面側に所望の色のインクを塗布したインクフィルム１５の一端部側が巻回されている。
前記インクフィルム１５は、幅寸法が、記録媒体７の印刷行方向の印刷幅寸法より若干広く形成されて、
また、供給ボビン１２には、軸方向にスライド可能な供給コア１５が係合可能になっており、この供給コア１５には、使用前のインクフィルム１５がパンケーキ状に巻回されている。
そして、巻取りボビン１０に巻取りコア１４を係合させ、供給ボビン１２に供給コア１５を係合させた状態で、巻取りボビン１０を回転駆動することにより、パンケーキ状に巻回した供給コア１５側のインクフィルム１５が矢印Ｃの巻取り方向に搬送されて、巻取りコア１４に巻取り可能になっている。
【００２５】
また、記録媒体７の矢印Ｂの搬送方向における第２用紙案内台９より下流側には、記録媒体７を矢印Ｂ方向、または矢印Ｂと反対方向に往復搬送可能な搬送ローラ１７が配設されている。
この搬送ローラ１７には、圧接ローラ１８が常時圧接した状態で配設されて、搬送ローラ１７の回転に追従して圧接ローラ１８が回転するようになっている。
前記搬送ローラ１７は、駆動源（図示せず）の回転が伝達されて右回転、左回転の往復回転が可能になっている。
また、圧接ローラ１８は、付勢部材１９による弾性付勢力で搬送ローラ１７に所定の圧力で圧接している。
【００２６】
このような本発明の熱転写方式ラインプリンタ１の印刷動作を説明すると、まず、プラテンローラ３から上方に所定量離間させたサーマルヘッド５がヘッドアップ状態において、給紙ローラ（図示せず）を回転させて、矢印Ｂ方向に搬送する記録媒体７は、第１用紙案内台８上を搬送され、プラテンローラ３とサーマルヘッド５との間を通過して、当接部材６及び第２用紙案内台８上を下流側に搬送される。
そして、記録媒体７の先端部が回転中の搬送ローラ１７と圧接ローラ１８とに圧接狭持されて矢印Ｄの排紙方向に搬送される。
この矢印Ｄの排紙方向に搬送される記録媒体７の先端部を、用紙検出センサ（図示せず）が検出すると、搬送ローラ１７の回転を停止することにより、記録媒体７の最初の印刷行の頭出しが行われる。
この記録媒体７の頭出し後、サーマルヘッド５をヘッドダウンさせて、インクフィルム１５と記録媒体７とを介してプラテンローラ３に圧接する。
【００２７】
次に、サーマルヘッド７の複数の発熱素子を印刷情報に基づいて選択的に通電して発熱させると共に、搬送ローラ１７を反時計方向に回転駆動する。
これにより、記録媒体７が矢印Ｄの排紙方向に搬送されると共に、インクフィルム１５が矢印Ｃ方向に巻き取りされて、溶融または半溶融状態のインクフィルム１５のインクが熱転写されて、記録媒体７に所望の色の画像を印刷できる。
この印刷中におけるプラテンローラ３は、搬送ローラ１７で矢印Ｂ方向に搬送される記録媒体７によて、搬送ローラ１７と同方向の反時計回り方向に回転するようになっている。
【００２８】
また、印刷中の記録媒体７には、インクフィルム１５が密着しているが、この記録媒体７に密着したインクフィルム１５は、巻き取りボビン１０を回転駆動することで、剥離ローラ４ａの位置において記録媒体７から剥離されて、巻き取りコア１４に巻き取りされる。
そして、記録媒体７に文字等の画像印刷が終了すると、印刷後の記録媒体７は、矢印Ｄの排紙方向に搬送されて、記録媒体７の後端部が搬送ローラ１７と圧接ローラ１８とから外れて、外部に排紙されて印刷動作が終了する。
【００２９】
また、本発明の熱転写方式ラインプリンタ１で、例えばカラー印刷を行う場合は、少なくともＹ（イエロー）、Ｍ（マゼンタ）、Ｃ（シアン）の３原色の３色のインクが、順次繰り返し塗布されたマルチカラーインクフィルムと称されるインクフィルム１５を用いる。
そして、最初の第１の印刷動作で、搬送ローラ１７と圧接ローラ１８とに圧接狭持した記録媒体７を矢印Ｄの排紙方向に搬送しながら、例えばＹ（イエロー）の色の画像を記録媒体７に印刷する。
この時、印刷後のインクフィルム１５は、剥離ローラ４ａで記録媒体７から剥離されて巻き取りコア１４に巻き取りされる。
【００３０】
前記Ｙ（イエロー）の色の画像印刷が終わると、サーマルヘッド５をヘッドアップさせると共に、搬送ローラ１７の回転を時計回り方向に反転させ、記録媒体７を矢印Ｂと反対方向に戻して、再度記録媒体７の頭出しを行い、その後、第２の印刷動作を行う。
この第２の印刷動作で、Ｙ（イエロー）の色の画像の上に、Ｍ（マゼンタ）の色の画像を重ね印刷する。
次に、第３の印刷動作で、Ｍ（マゼンタ）の色の画像の上に、第２の印刷動作と同じ動作で、Ｃ（シアン）の色のインクを重ね印刷することにより、所望の色からなるカラー画像を記録媒体７に印刷することができる。
【００３１】
また、本発明の第２の実施の形態を図３、図４で説明すると、本発明の第２の実施の形態における当接部材２８は、プラテンローラ３の外周部に張架した所定厚さでゴム等のベルトからなっている。このベルトからなる当接部材２８は、一方側がプラテンローラ３に、他方側が支持ローラ２９に張架されている。
そして、印刷時において、サーマルヘッド５をヘッドダウンさせると、搬送ローラ４ａがインクフィルム１５及び記録媒体７を介して当接部材２８であるベルト表面に当接する。
【００３２】
同時に、搬送ローラ１７を反時計回り方向に回転させて記録媒体７を矢印Ｂ方向に搬送すると、当接部材２８であるベルトが回転し、これに伴ってプラテンローラ３も回転するようになっている。
即ち、印刷時のサーマルヘッド５は、記録媒体７を介してプラテンローラ３に張架したベルトからなる当接部材２８を圧接するようになっているので、第１の実施に形態で説明したような、プラテンローラ３の外周部を被覆するゴム等の弾性部材が不要になる。
【００３３】
前述したような本発明の第１、第２の実施の形態の熱転写方式ラインプリンタは、サーマルヘッド５の発熱素子（図示せず）から剥離部材である剥離ローラ４ａまでの間隔が、印刷時に記録媒体７に転写して溶融または半溶融状態のインクが冷却して固体状に凝固するまでの時間になるような寸法に設定されている。
そのために、印刷時に記録媒体７に熱転写したインクが、溶融状態から凝固状態に変化してから、インクフィルム１５を記録媒体７から剥離することができ、確実な冷時剥離を行うことができる。
この確実な冷時剥離によって、記録媒体７に高品位な画像を印刷することができる。
【００３４】
また、印刷中に記録媒体７に密着したインクフィルム１５を剥離するときの剥離ローラ４ａは、記録媒体７とインクフィルム１５とを介して当接部材８、２８に当接するので、印刷中に外部から振動等が加えられても剥離動作中の記録媒体７及びインクフィルム１５の振動を防止できる。
そのために、インクフィルム１５の剥離タイミングのバラツキをなくすることができ、振動等によってインクが溶融状態で剥離されるのを防止できる。
また、本発明の第１、第２の実施の形態では、剥離部材を回転自在の剥離ローラ４ａで説明したが、サーマルヘッド５に沿って平行方向に長い板状の物でもよい。
【００３５】
【発明の効果】
本発明の熱転写方式ラインプリンタは、印刷部よりインクフィルムの巻取り方向における下流側に、印刷後の記録媒体に密着したインクフィルムを剥離するための剥離部材と、この剥離部材がインクフィルム及び前記記録媒体を介して当接可能な当接部材とを配設したので、印刷中に外部から振動等が加えられても、記録媒体及びインクフィルムが振動するのを防止して、記録媒体に密着したインクフィルムを確実に冷時剥離することができる。そのために、高品質な画像印刷が可能な熱転写方式ラインプリンタを提供できる。
【００３６】
また、剥離部材は、回転自在の剥離ローラからなるので、記録媒体に密着したインクフィルムを確実に剥離することができる。
【００３７】
また、当接部材は、プラテンローラの外周部に張架したベルトからなり、このベルトに剥離部材を当接可能としたので、ベルトが弾性変形して剥離部材の高さ位置のバラツキを吸収することができ、組立効率が良い。
【００３８】
また、サーマルヘッドは、インクフィルム及び記録媒体を介してプラテンローラ外周部のベルトに圧接可能としたので、プラテンローラ外周部を被覆する弾性部材をなくすることができる。
【図面の簡単な説明】
【図１】本発明の第１の実施の形態に係わる要部断面図である。
【図２】図１の斜視図である。
【図３】本発明の第２の実施の形態に係わる要部断面図である。
【図４】図３の斜視図である。
【図５】従来の熱転写方式ラインプリンタの要部断面図である。
【符号の説明】
１　熱転写方式ラインプリンタ
２ａ　側板
３　プラテンローラ
４　ヘッド取付台
４ａ　剥離ローラ
５　サーマルヘッド
６　当接部材
７　記録媒体
０１　巻取りボビン
１２　供給ボビン
１４　巻取りコア
１５　インクフィルム
１６　供給ボビン
１７　搬送ローラ
１８　圧接ローラ
１９　付勢部材
【図１】
2004050598.tif 000003
【図２】
2004050598.tif 000004
【図３】
2004050598.tif 000005
【図４】
2004050598.tif 000006
【図５】
2004050598.tif 000007